(57)【要約】【課題】人体に使用され、細胞を活性化させるレーザー活性化装置を提供する。【解決手段】人体に使用されるレーザー活性化装置の構造において、電源スイッチ、電源表示灯、電源調節キー、出力パワー表示灯、レーザー光操作キー、操作表示灯、充電コンセントおよびレーザー光コネクターが設けられ、内部に制御回路が設けられる本体１と、一端はソケットであり本体１のレーザー光コネクターに挿入され、他端はレーザー接触体に接続する連結コード２と、一つ以上の活性化装置が設けられ、その活性化装置にシールド電線、光ファイバー連結金属コレクター、レーザー光射出器、平凸ガラスレンズおよびレーザー光を射出する光ファイバーニードル孔が設けられるレーザー接触体とを備え、人体に照射するレーザー活性化装置を構成することを特徴とする人体に使用されるレーザー活性化装置。【選択図】図１
0003120190.tif 000002
【実用新案登録請求の範囲】
【請求項１】
人体に使用されるレーザー活性化装置の構造において、
電源スイッチ、電源表示灯、電源調節キー、出力パワー表示灯、レーザー光操作キー、操作表示灯、充電コンセントおよびレーザー光コネクターが設けられ、内部に制御回路が設けられる本体と、
一端はソケットであり本体のレーザー光コネクターに挿入され、他端はレーザー接触体に接続する連結コードと、
一つ以上の活性化装置が設けられ、その活性化装置にシールド電線、光ファイバー連結金属コレクター、レーザー光射出器、平凸ガラスレンズおよびレーザー光を射出する光ファイバーニードル孔が設けられるレーザー接触体とを備え、
人体に照射するレーザー活性化装置を構成することを特徴とする人体に使用されるレーザー活性化装置。
【請求項２】
レーザー接触体は、脇下接触体の形式であり、２組の活性化装置が設けられ、それぞれの活性化装置にシールド電線、光ファイバー連結金属コレクター、半導体レーザー射出器、平凸ガラスレンズおよび光ファイバーニードル孔が設けられ、２組の活性化装置は並列に設けられ、脇下接触体の一端に設けられる透明光フィルターにより光を射出させ、脇下接触体外部の両側に縛り紐を通過させるため、一対の突起耳が設けられ、突起耳の近傍に複数の通気孔が設けられ、脇下接触体内部の熱を放出する構造であることを特徴とする請求項１記載の人体に使用されるレーザー活性化装置。
【請求項３】
レーザー接触体は耳栓接触体の形式であり、耳栓接触体内部に活性化装置が設けられ、その活性化装置にシールド電線、光ファイバー連結金属コレクター、半導体レーザー射出器、平凸ガラスレンズおよび光ファイバーニードル孔が設けられ、耳栓挿入部の外部に耳栓と同じ大きさの挿入頭部が設けられて耳孔に挿入される構造であることを特徴とする請求項１記載の人体に使用されるレーザー活性化装置。
【請求項４】
レーザー接触体は長い棒状の膣接触体の形式であり、その膣接触体の内部に活性化装置が設けられ、その活性化装置にシールド電線、光ファイバー連結金属コレクター、半導体レーザー射出器、平凸ガラスレンズおよび光ファイバーニードル孔が設けられ、光ファイバーニードル孔の外部に軟質カーバーが結合し、その軟質カーバーにより膣に挿入される構造であることを特徴とする請求項１記載の人体に使用されるレーザー活性化装置。
【請求項５】
膣接触体の外部に保護カーバーが設けられ、その保護カーバーの一端に開口部が設けられ、係止めリングが設けられ、保護カーバーが膣接触体に被せられて使用されることを特徴とする請求項４記載の人体に使用されるレーザー活性化装置。
【請求項６】
活性化装置の半導体レーザー射出器より射出する赤色可視光源のスペクトラムは６５０nm前後であり、そのレーザー光の出力パワーは５ミリワットを超えない構造であることを特徴とする請求項１記載の人体に使用されるレーザー活性化装置。
【考案の詳細な説明】
【技術分野】
【０００１】
本考案は人体に使用されるレーザー活性化装置に関し、特に一種の脇下に固定、または耳孔あるいは膣に挿入し細胞を活性化させるレーザー活性化装置に関わるものである。
【背景技術】
【０００２】
西暦１９６５年、レーザー医学界において、ハンガリーのアンドレ・メスター(Dr. Endre Mester)医学博士が小さい出力パワーのレーザーを利用し、人体細胞組織治療を始め、１９７７年に「偏光を用いて細胞に照射したとき、細胞膜の分極分子は偏光の電界方向に再配列される」という研究報告を発表し、小さいパワーのレーザー光に関する研究を提出した後、世界各国の専門家たちはこの分野の研究を手がけ始めて、さまざまな領域に応用し始めた。一例として、手術室で使用されるレーザーメスもその応用の一種で、使用ワット数を５０Ｗに設定し、人体組織の切り込みおよび止血に応用されている。しかしながら、その応用は医師のみ、しかも専門医の手術室での使用に限られている。近年の、レーザー技術によるシミの取り除きなども、その応用の一例である。しかし、普遍的に応用、しかも簡単に応用できるものは、あまり見られない。本考案者はよりニーズに近づけた物について研究を重ね、公知技術においていままで医療用に限られてきたという課題について研究を重ねてきた。
【０００３】
通常の健康な体は中性から弱アルカリ性を帯びている。そして、加齢により、食事、毒素、雑物、バイ菌、病毒などが体内へ堆積することによって、段々と酸性体質に変わり、血液のなかに正電荷が充満する。一方、負電荷は赤血球と白血球細胞膜の外部を取り巻き、正負電荷が互いに吸着するため、血液は粘り気を帯びる。赤血球細胞の直径が約５〜７μmなのに対して、人体の最も小さい微血管の直径は６μmしかない。そこで、血液が粘り気状態のとき、赤血球は微血管に進入し、微循環の交代機能を発揮できない。月日が経つと、栄養分と酸素を微血管組織に供給できないことばかりでなく、微血管組織内部の二酸化炭素、余った水分、毒素、雑物、病毒の排出ができなくなる。そして、人体各器官の微血管組織は段々と壊死し、ないしは腫瘍に病変する。バイオ・レーザー(Bio Laser)の原理は微小出力パワーのレーザー光を皮下組織５センチメートル当たりの部位に透過させ、耳内腔部に照射、脇下部に照射および膣部に照射するものである。耳内腔部と膣内腔部に豊富な微血管網膜、脇下３センチメートルの場所に大動脈大静脈があるため、光線と微血管内部の赤血球は"光合成"の働きにより粘り気状態の赤血球と白血球を分離および独立させ、赤血球は微血管へスムーズに入り、循環交代を行い、血液循環、新陳代謝を加速し、もともと壊死に近い微血管組織を活性化させる。
【０００４】
これにより、体質上または上肢に寒性を持たせて、耳の内部、脇下または膣の微血管、あるいはリンパ組織など体の輸送通路を閉塞しておき、血液を活性化させるほか、微血管の末端組織の血液流動を促進し、良好な軽減が得られる。さらに、前記の耳の内部、脇下部または膣部は、体の他の器官に対して、比較的に暗い場所にあり、湿気を帯びやすい。また、清掃が難しいほか、衛生に注意しないと黴菌感染などを引き起こす。これらは血液循環不良による新陳代謝に影響されたものである。そこで、レーザー光を照射し、活性化させることによって、体内の新陳代謝を促し、感染を少なくできる。さらに、照射した後、光合成の働きおよび血液活性化により微血管の循環が良くなる。
【考案の開示】
【考案が解決しようとする課題】
【０００５】
本考案の主な目的は、人体に使用されるレーザー活性化装置を提供することにある。人体に使用されるレーザー活性化装置において、レーザーダイオードより赤色の可視光源のスペクトラム約６５０nmを発生させ、その出力パワーを５ミリワット(mw)を超えない程度にする。これは、レーザーメスの出力パワーの一万分の一弱であり、人間のからだの細胞に危害を与えることなく、細胞の成長を活性化できる。特に赤血球、白血球を粘り気状態から分離し、独立させることにより、従来の機能を十分に発揮させ、新陳代謝を促進し、老化および病気を防止し、病菌に感染した人をより早く健康に戻すことができる。本考案にレーザー接触体を設け、レーザー光を放射させ、耳の内部、脇下部または膣部に照射することにより、細胞の酸素欠如状態を改善し、体内循環機能を促すことができる。特に、リンパ腺、大動脈と大静脈などの血管を良くすることによって、体中の細胞の活性力を強化し、免疫力を向上するなど、より健康な体に導くことができ、もっと重要なことは、経穴を疎通し、血路を貫通させ、体の苦痛を最小限に抑止できることである。
【課題を解決するための手段】
【０００６】
一種の人体に照射するレーザー活性化装置は、本体、連結コードおよびレーザー接触体より構成する。本体に電源スイッチ、表示灯および操作キーを設け、本体内部に制御回路を設けて、連結コードによりレーザー接触体と電気的に接続する。レーザー接触体は脇下に固定される脇下接触体、または耳孔に挿入される耳栓接触体、もしくは膣に挿入される膣接触体の形状を形成し、体の各部位に使用されるレーザー活性化装置を構成する。
【考案を実施するための最良の形態】
【０００７】
図１に示すものは、本考案の一実施例による人体に使用されるレーザー活性化装置であり、本体１、連結コード２およびレーザー接触体より構成する。
本体１には、電源スイッチ１１（図２は本体１の正面図であって、図２に示すように電源スイッチ１１にオン（on）とオフ（off）の二つのボタンを設ける。）、電源表示灯１２と出力パワー調節キー１３（高、中、低出力パワー選択用）、出力パワー表示灯１４とレーザー光操作キー１５（時間は最大３０分まで設定できる）、操作表示灯１６と充電コネクター（図示していないが、必須部品である。）、レーザー光連結ソケット１７を設ける。さらに本体１内部に制御回路（図示していない）と充電池（図示していない、１本の３.６V、１０００MAリチウム電池、携帯電話用電池に同じ。）、接続するための充電器（図示していない。専用。充電中であっても装置の使用ができる。AC１１０〜２２０VからDC５V,５００MA）を設ける。
【０００８】
連結コード２は図１および図２に示すとおり、本体１外部に設けられる導電性連結コードであり、連結コード２の一端はプラグ２１、前記の本体１のコネクター１７に挿入し、他端は下記のレーザー接触体に連結する。
レーザー接触体は、図３に示すとおり、脇下接触体３ａの形状とし、内部に一つ以上の活性化装置３１ａを設け、図示した活性化装置３１ａには二組を設ける。活性化装置３１ａにシールド電線３２ａ、光ファイバー連結金属コレクター３３ａ、半導体レーザー射出器３４ａ、平凸ガラスレンズ３５ａ、光ファイバーニードル孔３６ａを設ける。この実施例において、二組の活性化装置３１ａは並列に設け、脇下接触体３ａ一端の透明光フィルター３７ａを介して、光を射出させる。透明光フィルター３７ａは汗が脇下接触体３ａに沁みることを防止できるほか、方向案内の働きがある。脇下接触体３ａと連結コード２の連結端を分離して設置する。
【０００９】
脇下接触体３ａ外部の両側に一対の突起耳３８ａを設け、突起耳３８ａの近傍に複数の通気孔３９ａを設けて、脇下接触体３ａの熱を発散させる。突起耳３８ａは縛り紐４０で貫いて、縛り紐４０により、脇下接触体３ａを脇下５０に縛っておき（図４に示す）、脇下５０で使用されるときの固定感および快適感を与えるほか、滑り防止の効果を有する。縛り紐４０は利用者個々に１本を専用させることにより、衛生の要求を満たして、共用による感染を防止する。縛り紐４０は特に指定がなく、両端に粘着する部材または紐、あるいは弾性リングを使用することもできる
【００１０】
図５から図７に示すように、レーザー接触体を耳栓接触体３ｂの形状とし、耳栓接触体３ｂ内部に活性化装置３１ｂを設けてもよい。活性化装置３１ｂにシールド電線３２ｂ、光ファイバー連結金属コレクター３３ｂ、半導体レーザー射出器３４ｂ、平凸ガラスレンズ３５ｂ、光ファイバーニードル孔３６ｂを設ける。耳栓接触体３ｂの外部に耳孔の大きさの挿入栓３６１ｂを設けて、耳孔６０に挿入する。図５に示すように、耳栓接触体３ｂ(通常の両耳型イヤーホーンと同様)を設け、かつ、挿入栓３６１ｂの表面は軟質に形成し、その後尾部を環状の鉤型フランジによって、耳孔６０（図７に示す）に掛けて、耳孔６０に掛けたとき、位置の固定感と快適感を与える。
【００１１】
さらに、図８に示すとおり、レーザー接触体を長い棒状の膣接触体３ｃ形状とし、膣接触体３ｃ内部に活性化装置３１ｃを設け、活性化装置３１ｃにシールド電線３２ｃ、光ファイバー連結金属コレクター３３ｃ、半導体レーザー射出器３４ｃ、平凸ガラスレンズ３５ｃ、光ファイバーニードル孔３６ｃを設けて、光ファイバーニードル孔３６ｃの外部に軟質カーバー３６２ｃを設け、このカーバー３６２ｃにより、膣７０に挿入してもよい。図９に示すとおり、膣接触体３ｃの外部にはさらに、保護カーバー８を設け、保護カーバー８の一端には開口部と係止めリング８１を設けて、保護カーバー８を膣接触体３ｃに被せて、膣７０に挿入し、係止めリング８１により膣７０の入り口（図１０に示す）場所にかかり止めておく。膣７０に挿入するとき、位置の固定感と快適感を与えるほか、深く入り込み取り出しにくくなることを防止できる。保護カーバー８はコンドームのように、取り替え方式により、衛生要求を果すほか、共用による感染を防止する。
【００１２】
通常の健康な体は中性から弱アルカリ性を帯びている。そして、加齢により、食事、毒素、雑物、バイ菌、病毒などが体内へ堆積することによって、段々と酸性体質に変わり、血液のなかに正電荷が充満する。一方、負電荷は赤血球と白血球細胞膜の外部を取り巻き、正負電荷が互いに吸着するため、血液は粘り気を帯びる。赤血球細胞の直径が約５〜７μmなのに対して、人体の最も小さい微血管の直径は６μmしかない。そこで、血液が粘り気状態のとき、赤血球は微血管に進入し、微循環の交代機能を発揮できない。月日が経つと、栄養分と酸素を微血管組織に供給できないことばかりでなく、微血管組織内部の二酸化炭素、余った水分、毒素、雑物、病毒の排出ができない。そして、人体各器官の微血管組織が段々と壊死し、健康な体を失う。本考案のバイオ・レーザー(Bio Laser)は微小出力パワーのレーザー光を人体に照射するものであり、脇下、耳の内部および膣内部は豊富な微血管を有するため、レーザー光を照射すると、微血管内部の赤血球は"光合成"の働きにより、粘り気状態の赤血球と白血球を分離および独立させ、赤血球が微血管へスムーズに入り、循環交代を行い、血液循環、新陳代謝を加速し、もともと壊死に近い微血管組織を活性化させる。
【００１３】
前記の説明により、本考案のレーザー光による光合成の働きは、脇下、耳の内部または膣に照射して得られるものであるが、目がレーザー光を直視することを避けるため、脇下、耳の内部、または膣に装入してから、操作キーを押す。そもそも、体の血液循環に支障が起きたとき、患部に酸素が欠如し、反応が鈍くなり、痴呆現象が起きる。さらに、月経期のとき、経血の排除が難しくなり、腹痛などの症状を引き起しさらに、偏頭痛、目眩などの現象が起きる。本考案によると、体中の細胞の活性化と循環性を良くし、細胞の働きをより効率的にし、利用者の健康な体に導く。また、健康な細胞により、病毒の形成や堆積を防止できる。つまり、浚渫方法により、長い期間にわたって少しずつ、積み重ねて、その効果は一点の貫通を百点の貫通にして全身に広がり、体をより元気、より健康的にする。よって、本考案は極めて良い使用性と利用性をかねているため、公知技術とは完全に違う在宅で利用可能な装置を提供できる。
【図面の簡単な説明】
【００１４】
【図１】本考案の実施例による人体に使用されるレーザー活性化装置を示す模式図である。
【図２】本考案の実施例による人体に使用されるレーザー活性化装置の本体を示す正面図である。
【図３】本考案の実施例による人体に使用されるレーザー活性化装置の脇下接触体を部分的に切断した状態を示す模式図である。
【図４】本考案の実施例による人体に使用されるレーザー活性化装置の脇下接触体の使用態様を示す模式図である。
【図５】本考案のの実施例による人体に使用されるレーザー活性化装置の耳栓接触体を示す模式図である。
【図６】本考案の実施例による人体に使用されるレーザー活性化装置の耳栓接触体を部分的に切断した状態を示す模式図である。
【図７】本考案の実施例による人体に使用されるレーザー活性化装置の耳栓接触体の使用態様を示す模式図である。
【図８】本考案の実施例による人体に使用されるレーザー活性化装置の膣接触体を部分的に切断した状態を示す模式図である。
【図９】本考案の実施例による人体に使用されるレーザー活性化装置の保護カーバーの使用例を示す立体図である。
【図１０】本考案の実施例による人体に使用されるレーザー活性化装置の膣接触体の使用態様を示す模式図である。
【符号の説明】
【００１５】
１  本体、２  連結コード、３ａ  脇下接触体、３ｂ  耳栓接触体、３ｃ  膣接触体、８  保護カーバー、１１  電源スイッチ、１２  電源表示灯、１３  出力パワー調節キー、１４  出力パワー表示灯、１５  レーザー光操作キー、１６  操作表示灯、１７  レーザー光コネクター、２１  プラグ、３１ａ、３１ｂ、３１ｃ  活性化装置、３２ａ、３２ｂ、３２ｃ  シールド電線、３３ａ、３３ｂ、３３ｃ  光ファイバー連結金属コレクター、３４ａ、３４ｂ、３４ｃ  半導体レーザー射出器、３５ａ、３５ｂ、３５ｃ  平凸ガラスレンズ、３６ａ、３６ｂ、３６ｃ  光ファイバーニードル孔、３７ａ  透明光フィルター、３８ａ  突起耳、３９ａ  通気孔、４０  縛り紐、５０  脇下、６０  耳孔、７０  膣、８１  係止めリング、３６１ｂ  挿入栓、３６２ｃ  カーバー
【図１】
0003120190.tif 000003
【図２】
0003120190.tif 000004
【図３】
0003120190.tif 000005
【図４】
0003120190.tif 000006
【図５】
0003120190.tif 000007
【図６】
0003120190.tif 000008
【図７】
0003120190.tif 000009
【図８】
0003120190.tif 000010
【図９】
0003120190.tif 000011
【図１０】
0003120190.tif 000012